(57)【要約】【課題】配送物とコンテンツの授受をより簡易に実現する通信装置、コンテンツサーバ、コンテンツ提供システム、通信方法およびコンテンツ提供方法を提供する。【解決手段】識別情報が与えられた配送物の配送元ユーザが利用する通信装置であって、前記配送物に与えられた前記識別情報を取得する識別情報取得部と、コンテンツと前記識別情報取得部により取得された前記識別情報を、配送先ユーザの通信装置が前記コンテンツの取得のために通信するコンテンツサーバに送信する送信部と、を備える、通信装置。【選択図】図２
2015095748.tif 000002
【特許請求の範囲】
【請求項１】
識別情報が与えられた配送物の配送元ユーザが利用する通信装置であって、
前記配送物に与えられた前記識別情報を取得する識別情報取得部と、
コンテンツと前記識別情報取得部により取得された前記識別情報を、配送先ユーザの通信装置が前記コンテンツの取得のために通信するコンテンツサーバに送信する送信部と、
を備える、通信装置。
【請求項２】
前記送信部は、前記コンテンツと前記識別情報に、さらに前記配送物の宛先情報を関連付けて送信する、請求項１に記載の通信装置。
【請求項３】
前記コンテンツは、メタデータおよびメディアデータを含み、
前記コンテンツサーバにおいて、暗号化キーを用いて前記メタデータが暗号化され、前記識別情報を用いて前記暗号化キーおよび前記メディアデータが暗号化され、
前記配送元ユーザが利用する通信装置は、
前記コンテンツサーバから暗号化された前記メタデータを受信する受信部と、
前記暗号化されたメタデータを前記配送物に与えるデータ付与部と、
をさらに備える、請求項１または２に記載の通信装置。
【請求項４】
前記コンテンツは、前記配送元ユーザが利用する通信装置のアドレスデータを含み、
前記通信装置は、前記アドレスデータに基づいて前記配送先ユーザの通信装置から送信される通知を受信する、請求項１〜３のいずれか一項に記載の通信装置。
【請求項５】
前記配送物は無線タグを有し、
前記識別情報は前記無線タグに記録される、請求項１〜４のいずれか一項に記載の通信装置。
【請求項６】
識別情報が与えられた配送物の配送元ユーザが利用する配送元通信装置と通信するコンテンツサーバであって、
前記配送元通信装置からコンテンツと前記配送物に与えられた識別情報を受信し、前記配送物から取得される識別情報および前記コンテンツサーバとの通信に基づいて前記コンテンツを取得する配送先通信装置と通信する通信部、
を備える、コンテンツサーバ。
【請求項７】
前記コンテンツサーバは、前記配送元通信装置から受信した前記コンテンツおよび前記識別情報を関連付けて記憶する記憶部を有し、
前記通信部は、前記配送物から取得される識別情報を前記配送先通信装置から受信し、受信した識別情報に関連付けて前記記憶部に記憶されているコンテンツを前記配送先通信装置に送信する、請求項６に記載のコンテンツサーバ。
【請求項８】
前記コンテンツサーバは、
前記配送元通信装置から受信した識別情報を用いてコンテンツキーを生成するキー生成部を備え、
前記記憶部は、前記コンテンツおよび前記識別情報にさらに前記コンテンツキーを関連付けて記憶し、
前記通信部は、前記キー生成部により生成された前記コンテンツキーを前記配送先通信装置に送信し、前記配送先通信装置からの識別情報およびコンテンツキーの受信に応じ、当該識別情報およびコンテンツキーと関連付けて前記記憶部に記憶されているコンテンツを前記配送先通信装置に送信する、請求項７に記載のコンテンツサーバ。
【請求項９】
前記コンテンツサーバは、
前記配送元通信装置から受信した識別情報を用いて前記配送元通信装置から受信したコンテンツの一部分を暗号化する暗号化部と、
前記配送元通信装置から受信した識別情報および一部分が暗号化されたコンテンツの他の部分を関連付けて記憶する記憶部と、
を備え、
前記通信部は、前記暗号化部により暗号化された前記コンテンツの一部分を前記配送先通信装置に送信し、前記配送先通信装置からの識別情報の受信に応じ、当該識別情報と関連付けて前記記憶部に記憶されている前記コンテンツの他の部分を前記配送先通信装置に送信する、請求項６に記載のコンテンツサーバ。
【請求項１０】
前記コンテンツは、メタデータおよびメディアデータを含み、
前記コンテンツサーバは、
暗号化キーを用いて前記メタデータを暗号化し、前記識別情報を用いて前記暗号化キーおよび前記メディアデータを暗号化する暗号化部と、
を備え、
前記通信部は、暗号化された前記メタデータを前記配送元通信装置に送信し、暗号化された前記暗号化キーおよび前記メディアデータを前記配送先通信装置に送信する、請求項６に記載のコンテンツサーバ。
【請求項１１】
前記コンテンツサーバは、前記配送元通信装置からのコンテンツ提供に関する要求が前記配送元通信装置から受信した前記識別情報に関連付けられた条件を満たすか否かを判断する判断部をさらに備え、
前記通信部は、前記判断部により前記条件が満たされると判断された場合に前記暗号化されたメタデータを前記配送元通信装置に送信する、請求項１０に記載のコンテンツサーバ。
【請求項１２】
識別情報が与えられた配送物の配送先ユーザが利用する通信装置であって、
前記配送物に与えられた識別情報を取得する識別情報取得部と、
前記識別情報取得部により取得された前記識別情報、および配送元ユーザの通信装置がコンテンツと前記配送物に与えられた識別情報を関連付けて送信したコンテンツサーバとの通信に基づいて前記コンテンツを取得するコンテンツ取得部と、
を備える、通信装置。
【請求項１３】
前記コンテンツサーバには、前記配送元ユーザの通信装置から受信した前記コンテンツおよび前記識別情報が関連付けて記憶されており、
前記コンテンツ取得部は、前記識別情報取得部により取得された前記識別情報と関連付けて前記コンテンツサーバに記憶されているコンテンツを、前記前記識別情報取得部により取得された前記識別情報を用いて前記コンテンツサーバから取得する、請求項１２に記載の通信装置。
【請求項１４】
前記コンテンツ取得部は、
前記コンテンツサーバが前記配送元ユーザの通信装置から受信した識別情報を用いて生成したコンテンツキーであって、前記コンテンツサーバが前記配送元ユーザの通信装置から受信した前記識別情報および前記コンテンツと関連付けて記憶するコンテンツキーを前記コンテンツサーバからさらに取得し、
前記識別情報取得部により取得された前記識別情報および前記コンテンツキーと関連付けて前記コンテンツサーバに記憶されているコンテンツを、前記前記識別情報取得部により取得された前記識別情報および前記コンテンツキーを用いて前記コンテンツサーバから取得する、請求項１２に記載の通信装置。
【請求項１５】
前記コンテンツ取得部は、
前記コンテンツサーバが前記配送元ユーザの通信装置から受信した識別情報を用いて暗号化したコンテンツの一部分を前記コンテンツサーバからさらに取得し、
一部分が暗号化された前記コンテンツの他の部分を前記識別情報取得部により取得された前記識別情報を用いて前記コンテンツサーバから取得し、
前記コンテンツ取得部は、
前記コンテンツサーバから取得した暗号化された前記コンテンツの一部分を前記識別情報取得部により取得された前記識別情報を用いて復号することにより前記コンテンツを取得する復号部を含む、請求項１２に記載の通信装置。
【請求項１６】
前記コンテンツは、メタデータおよびメディアデータを含み、
前記配送物には、前記識別情報に加え、前記コンテンツサーバにおいて暗号化キーを用いて暗号化された前記メタデータが与えられており、
前記識別情報取得部は前記配送物に与えられた前記暗号化されたメタデータをさらに取得し、
前記コンテンツ取得部は、前記コンテンツサーバにより前記配送元ユーザの通信装置から受信した前記識別情報を用いて暗号化された前記メディアデータおよび前記暗号化キーを取得し、
前記コンテンツ取得部は、前記識別情報取得部により取得された識別情報を用いて前記暗号化された前記メディアデータおよび前記暗号化キーを復号し、前記識別情報取得部により取得された前記暗号化されたメタデータを復号された前記暗号化キーを用いて復号する復号部を含む、請求項１２に記載の通信装置。
【請求項１７】
前記コンテンツは、前記配送元ユーザが利用する通信装置のアドレスデータを含み、
前記通信装置は、前記コンテンツ取得部により取得された前記コンテンツに含まれるアドレスデータに基づいて前記配送元ユーザが利用する通信装置に通知を送信する通知部をさらに備える、請求項１２〜１６のいずれか一項に記載の通信装置。
【請求項１８】
前記配送物は無線タグを有し、
前記識別情報は前記無線タグに記録される、請求項１２〜１７のいずれか一項に記載の通信装置。
【請求項１９】
識別情報が与えられた配送物の配送元ユーザが利用する配送元通信装置、前記配送物の配送先ユーザが利用する配送先通信装置、およびコンテンツサーバを含むコンテンツ提供システムであって、
前記配送元通信装置は、
前記配送物に与えられた前記識別情報を取得する第１の識別情報取得部と、
コンテンツと前記第１の識別情報取得部により取得された前記識別情報を前記コンテンツサーバに送信する送信部と、
を有し、
前記コンテンツサーバは、
前記配送元通信装置および前記配送先通信装置と通信する通信部を有し、
前記配送先通信装置は、
前記配送物に与えられた前記識別情報を前記配送物から取得する第２の識別情報取得部と、
前記第２の識別情報取得部により取得された前記識別情報、および前記コンテンツサーバとの通信に基づいて前記コンテンツを取得するコンテンツ取得部と、
を有する、コンテンツ提供システム。
【請求項２０】
識別情報が与えられた配送物の配送元ユーザが利用する通信装置により実行される通信方法であって、
前記配送物に与えられた前記識別情報を取得することと、
コンテンツと前記識別情報を、配送先ユーザの通信装置が前記コンテンツの取得のために通信するコンテンツサーバに送信することと、
を含む、通信方法。
【請求項２１】
識別情報が与えられた配送物の配送元ユーザが利用する配送元通信装置と通信するコンテンツサーバにより実行される通信方法であって、
前記配送元通信装置からコンテンツと前記配送物に与えられた識別情報を受信し、前記配送物から取得される識別情報および前記コンテンツサーバとの通信に基づいて前記コンテンツを取得する配送先通信装置と通信すること、
を含む、通信方法。
【請求項２２】
識別情報が与えられた配送物の配送先ユーザが利用する通信装置により実行される通信方法であって、
前記配送物に与えられた識別情報を取得することと、
前記識別情報、および配送元ユーザの通信装置がコンテンツと前記配送物に与えられた識別情報を関連付けて送信したコンテンツサーバとの通信に基づいて前記コンテンツを取得することと、
を含む、通信方法。
【請求項２３】
識別情報が与えられた配送物の配送元ユーザが利用する配送元通信装置、前記配送物の配送先ユーザが利用する配送先通信装置、およびコンテンツサーバにより実行されるコンテンツ提供方法であって、
前記配送元通信装置により、
前記配送物に与えられた前記識別情報を取得することと、
コンテンツと取得された前記識別情報を前記コンテンツサーバに送信することと、
前記配送先通信装置により、
前記配送物に与えられた前記識別情報を前記配送物から取得することと、
取得された前記識別情報、および前記コンテンツサーバとの通信に基づいて前記コンテンツを取得することと、
を含む、コンテンツ提供方法。
【発明の詳細な説明】
【技術分野】
【０００１】
本発明は、通信装置、コンテンツサーバ、コンテンツ提供システム、通信方法およびコンテンツ提供方法に関する。
【背景技術】
【０００２】
近日、遠隔地にはがきや荷物などの配送物を届ける配送サービスが広く普及している。この配送サービスの利用により、差出人は、写真や動画などのコンテンツを遠隔地の受取人に届けることが可能である。例えば、差出人は、コンテンツのデータをメモリーカードなどの可搬式記憶媒体に書き込み、当該可搬式記憶媒体を受取人に配送することにより、コンテンツを遠隔地の受取人に届け得る。一方、受取人は、配送された可搬式記憶媒体を再生装置に接続し、再生装置にデータの読出および再生を行わせることにより、コンテンツを視聴することが可能となる。
【０００３】
複数人がコンテンツを共有する他の方法として、ソーシャルネットワーキングサービスを利用する方法がある。例えば特許文献１には、ソーシャルネットワーキングサービスにおいて所定の共有関係が設定されている複数人の間で互いのデータへのアクセスを可能とする方法が開示されている。
【先行技術文献】
【特許文献】
【０００４】
【特許文献１】特開２００８−１２３２３３号公報
【発明の概要】
【発明が解決しようとする課題】
【０００５】
上記の可搬式記憶媒体の配送を用いる方法は、コンテンツおよびコンテンツに関連する配送物を一体的に届けられるという利点があるが、差出人または受取人に、可搬式記憶媒体と情報処理装置との着脱、情報処理装置を用いた可搬式記憶媒体へのデータの書き込み、および可搬式記憶媒体からのデータの読出しなどの作業のためのＩＴ（Ｉｎｆｏｒｍａｔｉｏｎ  Ｔｅｃｈｎｏｌｏｇｙ）リテラシが求められる。
【０００６】
同様に、ソーシャルネットワーキングサービスを利用する方法では、インターネットの利用、およびソーシャルネットワーキングサービスへの登録などの作業のためのＩＴリテラシが求められる。さらに、ソーシャルネットワーキングサービスを利用する方法では、コンテンツに関連する配送物の配送を別途行ったとしても、コンテンツと配送物を一体的に受取人に届けることが困難である。
【０００７】
そこで、本発明は、上記問題に鑑みてなされたものであり、本発明の目的とするところは、配送物とコンテンツの授受をより簡易に実現することが可能な、新規かつ改良された通信装置、コンテンツサーバ、コンテンツ提供システム、通信方法およびコンテンツ提供方法を提供することにある。
【課題を解決するための手段】
【０００８】
上記課題を解決するために、本発明のある観点によれば、識別情報が与えられた配送物の配送元ユーザが利用する通信装置であって、前記配送物に与えられた前記識別情報を取得する識別情報取得部と、コンテンツと前記識別情報取得部により取得された前記識別情報を、配送先ユーザの通信装置が前記コンテンツの取得のために通信するコンテンツサーバに送信する送信部と、を備える通信装置が提供される。
【０００９】
前記送信部は、前記コンテンツと前記識別情報に、さらに前記配送物の宛先情報を関連付けて送信してもよい。
【００１０】
前記コンテンツは、メタデータおよびメディアデータを含み、前記コンテンツサーバにおいて、暗号化キーを用いて前記メタデータが暗号化され、前記識別情報を用いて前記暗号化キーおよび前記メディアデータが暗号化され、前記配送元ユーザが利用する通信装置は、前記コンテンツサーバから暗号化された前記メタデータを受信する受信部と、前記暗号化されたメタデータを前記配送物に与えるデータ付与部と、をさらに備えてもよい。
【００１１】
前記コンテンツは、前記配送元ユーザが利用する通信装置のアドレスデータを含み、前記通信装置は、前記アドレスデータに基づいて前記配送先ユーザの通信装置から送信される通知を受信してもよい。
【００１２】
前記配送物は無線タグを有し、前記識別情報は前記無線タグに記録されてもよい。
【００１３】
また、上記課題を解決するために、本発明の別の観点によれば、識別情報が与えられた配送物の配送元ユーザが利用する配送元通信装置と通信するコンテンツサーバであって、前記配送元通信装置からコンテンツと前記配送物に与えられた識別情報を受信し、前記配送物から取得される識別情報および前記コンテンツサーバとの通信に基づいて前記コンテンツを取得する配送先通信装置と通信する通信部、を備えるコンテンツサーバが提供される。
【００１４】
前記コンテンツサーバは、前記配送元通信装置から受信した前記コンテンツおよび前記識別情報を関連付けて記憶する記憶部を有し、前記通信部は、前記配送物から取得される識別情報を前記配送先通信装置から受信し、受信した識別情報に関連付けて前記記憶部に記憶されているコンテンツを前記配送先通信装置に送信してもよい。
【００１５】
前記コンテンツサーバは、前記配送元通信装置から受信した識別情報を用いてコンテンツキーを生成するキー生成部を備え、前記記憶部は、前記コンテンツおよび前記識別情報にさらに前記コンテンツキーを関連付けて記憶し、前記通信部は、前記キー生成部により生成された前記コンテンツキーを前記配送先通信装置に送信し、前記配送先通信装置からの識別情報およびコンテンツキーの受信に応じ、当該識別情報およびコンテンツキーと関連付けて前記記憶部に記憶されているコンテンツを前記配送先通信装置に送信してもよい。
【００１６】
前記コンテンツサーバは、前記配送元通信装置から受信した識別情報を用いて前記配送元通信装置から受信したコンテンツの一部分を暗号化する暗号化部と、前記配送元通信装置から受信した識別情報および一部分が暗号化されたコンテンツの他の部分を関連付けて記憶する記憶部と、を備え、前記通信部は、前記暗号化部により暗号化された前記コンテンツの一部分を前記配送先通信装置に送信し、前記配送先通信装置からの識別情報の受信に応じ、当該識別情報と関連付けて前記記憶部に記憶されている前記コンテンツの他の部分を前記配送先通信装置に送信してもよい。
【００１７】
前記コンテンツは、メタデータおよびメディアデータを含み、前記コンテンツサーバは、暗号化キーを用いて前記メタデータを暗号化し、前記識別情報を用いて前記暗号化キーおよび前記メディアデータを暗号化する暗号化部と、を備え、前記通信部は、暗号化された前記メタデータを前記配送元通信装置に送信し、暗号化された前記暗号化キーおよび前記メディアデータを前記配送先通信装置に送信してもよい。
【００１８】
前記コンテンツサーバは、前記配送元通信装置からのコンテンツ提供に関する要求が前記配送元通信装置から受信した前記識別情報に関連付けられた条件を満たすか否かを判断する判断部をさらに備え、前記通信部は、前記判断部により前記条件が満たされると判断された場合に前記暗号化されたメタデータを前記配送元通信装置に送信してもよい。
【００１９】
また、上記課題を解決するために、本発明の別の観点によれば、識別情報が与えられた配送物の配送先ユーザが利用する通信装置であって、前記配送物に与えられた識別情報を取得する識別情報取得部と、前記識別情報取得部により取得された前記識別情報、および配送元ユーザの通信装置がコンテンツと前記配送物に与えられた識別情報を関連付けて送信したコンテンツサーバとの通信に基づいて前記コンテンツを取得するコンテンツ取得部と、を備える、通信装置が提供される。
【００２０】
前記コンテンツサーバには、前記配送元ユーザの通信装置から受信した前記コンテンツおよび前記識別情報が関連付けて記憶されており、前記コンテンツ取得部は、前記識別情報取得部により取得された前記識別情報と関連付けて前記コンテンツサーバに記憶されているコンテンツを、前記前記識別情報取得部により取得された前記識別情報を用いて前記コンテンツサーバから取得してもよい。
【００２１】
前記コンテンツ取得部は、前記コンテンツサーバが前記配送元ユーザの通信装置から受信した識別情報を用いて生成したコンテンツキーであって、前記コンテンツサーバが前記配送元ユーザの通信装置から受信した前記識別情報および前記コンテンツと関連付けて記憶するコンテンツキーを前記コンテンツサーバからさらに取得し、前記識別情報取得部により取得された前記識別情報および前記コンテンツキーと関連付けて前記コンテンツサーバに記憶されているコンテンツを、前記前記識別情報取得部により取得された前記識別情報および前記コンテンツキーを用いて前記コンテンツサーバから取得してもよい。
【００２２】
前記コンテンツ取得部は、前記コンテンツサーバが前記配送元ユーザの通信装置から受信した識別情報を用いて暗号化したコンテンツの一部分を前記コンテンツサーバからさらに取得し、一部分が暗号化された前記コンテンツの他の部分を前記識別情報取得部により取得された前記識別情報を用いて前記コンテンツサーバから取得し、前記コンテンツ取得部は、前記コンテンツサーバから取得した暗号化された前記コンテンツの一部分を前記識別情報取得部により取得された前記識別情報を用いて復号することにより前記コンテンツを取得する復号部を含んでもよい。
【００２３】
前記コンテンツは、メタデータおよびメディアデータを含み、前記配送物には、前記識別情報に加え、前記コンテンツサーバにおいて暗号化キーを用いて暗号化された前記メタデータが与えられており、前記識別情報取得部は前記配送物に与えられた前記暗号化されたメタデータをさらに取得し、前記コンテンツ取得部は、前記コンテンツサーバにより前記配送元ユーザの通信装置から受信した前記識別情報を用いて暗号化された前記メディアデータおよび前記暗号化キーを取得し、前記コンテンツ取得部は、前記識別情報取得部により取得された識別情報を用いて前記暗号化された前記メディアデータおよび前記暗号化キーを復号し、前記識別情報取得部により取得された前記暗号化されたメタデータを復号された前記暗号化キーを用いて復号する復号部を含んでもよい。
【００２４】
前記コンテンツは、前記配送元ユーザが利用する通信装置のアドレスデータを含み、前記通信装置は、前記コンテンツ取得部により取得された前記コンテンツに含まれるアドレスデータに基づいて前記配送元ユーザが利用する通信装置に通知を送信する通知部をさらに備えてもよい。
【００２５】
前記配送物は無線タグを有し、前記識別情報は前記無線タグに記録されてもよい。
【００２６】
また、上記課題を解決するために、本発明の別の観点によれば、識別情報が与えられた配送物の配送元ユーザが利用する配送元通信装置、前記配送物の配送先ユーザが利用する配送先通信装置、およびコンテンツサーバを含むコンテンツ提供システムであって、前記配送元通信装置は、前記配送物に与えられた前記識別情報を取得する第１の識別情報取得部と、コンテンツと前記第１の識別情報取得部により取得された前記識別情報を前記コンテンツサーバに送信する送信部と、を有し、前記コンテンツサーバは、前記配送元通信装置および前記配送先通信装置と通信する通信部を有し、前記配送先通信装置は、前記配送物に与えられた前記識別情報を前記配送物から取得する第２の識別情報取得部と、前記第２の識別情報取得部により取得された前記識別情報、および前記コンテンツサーバとの通信に基づいて前記コンテンツを取得するコンテンツ取得部と、を有する、コンテンツ提供システムが提供される。
【００２７】
また、上記課題を解決するために、本発明の別の観点によれば、識別情報が与えられた配送物の配送元ユーザが利用する通信装置により実行される通信方法であって、前記配送物に与えられた前記識別情報を取得することと、コンテンツと前記識別情報を、配送先ユーザの通信装置が前記コンテンツの取得のために通信するコンテンツサーバに送信することと、を含む、通信方法が提供される。
【００２８】
また、上記課題を解決するために、本発明の別の観点によれば、識別情報が与えられた配送物の配送元ユーザが利用する配送元通信装置と通信するコンテンツサーバにより実行される通信方法であって、前記配送元通信装置からコンテンツと前記配送物に与えられた識別情報を受信し、前記配送物から取得される識別情報および前記コンテンツサーバとの通信に基づいて前記コンテンツを取得する配送先通信装置と通信すること、を含む、通信方法が提供される。
【００２９】
また、上記課題を解決するために、本発明の別の観点によれば、識別情報が与えられた配送物の配送先ユーザが利用する通信装置により実行される通信方法であって、前記配送物に与えられた識別情報を取得することと、前記識別情報、および配送元ユーザの通信装置がコンテンツと前記配送物に与えられた識別情報を関連付けて送信したコンテンツサーバとの通信に基づいて前記コンテンツを取得することと、を含む、通信方法が提供される。
【００３０】
また、上記課題を解決するために、本発明の別の観点によれば、識別情報が与えられた配送物の配送元ユーザが利用する配送元通信装置、前記配送物の配送先ユーザが利用する配送先通信装置、およびコンテンツサーバにより実行されるコンテンツ提供方法であって、前記配送元通信装置により、前記配送物に与えられた前記識別情報を取得することと、コンテンツと取得された前記識別情報を前記コンテンツサーバに送信することと、前記配送先通信装置により、前記配送物に与えられた前記識別情報を前記配送物から取得することと、取得された前記識別情報、および前記コンテンツサーバとの通信に基づいて前記コンテンツを取得することと、を含む、コンテンツ提供方法が提供される。
【発明の効果】
【００３１】
以上説明したように本発明によれば、配送物とコンテンツの授受をより簡易に実現することが可能である。
【図面の簡単な説明】
【００３２】
【図１】本発明の実施形態によるコンテンツ提供システムを示す説明図である。
【図２】本発明の第１の実施形態による各装置の構成を示した機能ブロック図である。
【図３】第１の実施形態において記憶部に記憶されるデータの具体例を示した説明図である。
【図４】本発明の第１の実施形態による動作を示した説明図である。
【図５】本発明の第２の実施形態による各装置の構成を示した機能ブロック図である。
【図６】第２の実施形態において記憶部に記憶されるデータの具体例を示した説明図である。
【図７】利用者テーブルの具体例を示した説明図である。
【図８】本発明の第２の実施形態による動作を示した説明図である。
【図９】本発明の第３の実施形態による各装置の構成を示した機能ブロック図である。
【図１０】第３の実施形態において記憶部に記憶されるデータの具体例を示した説明図である。
【図１１】本発明の第３の実施形態による動作を示した説明図である。
【図１２】本発明の第４の実施形態による各装置の構成を示した機能ブロック図である。
【図１３】暗号化部の詳細な機能を示した説明図である。
【図１４】本発明の第４の実施形態による動作を示した説明図である。
【発明を実施するための形態】
【００３３】
以下に添付図面を参照しながら、本発明の実施の形態について詳細に説明する。なお、本明細書及び図面において、実質的に同一の機能構成を有する構成要素については、同一の符号を付することにより重複説明を省略する。
【００３４】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００３５】
また、本明細書及び図面において、実施形態により機能の異なる構成あるいは装置を、同一の符号の後にハイフンおよび実施形態の番号を付して区別する場合もある。例えば、実施形態により配送元通信装置の機能が異なる場合、第１の実施形態による配送元通信装置を配送元通信装置２０−１、第２の実施形態による配送元通信装置を配送元通信装置２０−２と称する場合もある。ただし、実施形態により機能の異なる構成あるいは装置の各々を特に区別する必要がない場合、同一符号のみを付する。例えば、第１の実施形態による配送元通信装置２０−１、第２の実施形態による配送元通信装置２０−２などを特に区別する必要が無い場合には、単に配送元通信装置２０と称する。
【００３６】
＜コンテンツ提供システムの概要＞
本発明の実施形態によるコンテンツ提供システムは、写真や動画などのコンテンツと、コンテンツに関連する手紙や荷物などの配送物とを一体的にユーザから他のユーザに届けるサービスを支援する。この本発明の実施形態によるコンテンツ提供システムを利用することにより、ユーザは、例えば子供の運動会の動画と、子供の運動会について記されたはがきを一体的に他のユーザに届けることができる。あるいは、ユーザは、旅行先で撮影した写真と、旅行先のお土産とを一体的に他のユーザに届けることができる。
【００３７】
さらに、本発明の実施形態によるコンテンツ提供システムは、配送物とコンテンツの一体的な授受をより簡易に実現することが可能である。以下、図１を参照し、このようなコンテンツ提供システムの概要を説明する。
【００３８】
図１は、本発明の実施形態によるコンテンツ提供システムを示す説明図である。図１に示したように、本発明の実施形態によるコンテンツ提供システムは、ネットワーク１２、配送元通信装置２０、配送先通信装置３０およびコンテンツサーバ４０を含む。また、図１には、配送物の一例としてはがき５０を示している。はがき５０は、配送元通信装置２０を利用するユーザＡから、配送先通信装置３０を利用するユーザＢに、配送業者を介して配送される。なお、配送物は、封書や小包など、はがき５０以外の媒体であってもよい。また、配送業者は、郵便業者であってもよいし、宅配業者であってもよい。
【００３９】
配送元通信装置２０、配送先通信装置３０およびコンテンツサーバ４０は、ネットワーク１２を介して接続されており、ネットワーク１２を介して多様なデータを送受信することが可能である。なお、ネットワーク１２は、ネットワーク１２に接続されている装置から送信される情報の有線、または無線の伝送路である。例えば、ネットワーク１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００４０】
配送元通信装置２０は、配送物の差出人であるユーザＡが利用する通信装置である。本発明の実施形態においては、配送物には識別情報が与えられ、配送元通信装置２０は、配送物に与えられた識別情報を取得し、当該識別情報をコンテンツと関連付けてコンテンツサーバ４０に送信する。例えば、配送物であるはがき５０には、図１に示したように、識別情報として切手ＩＤが格納された無線タグを含む無線タグ切手５２が貼付される。配送元通信装置２０は、例えば無線タグ切手５２との近接通信により無線タグ切手５２から切手ＩＤを取得し、当該切手ＩＤをユーザＢに届けたいコンテンツと関連付けてコンテンツサーバ４０に送信する。なお、配送元通信装置２０は、スマートフォン、携帯電話、携帯用音楽再生装置、携帯用映像処理装置、携帯用ゲーム機器ＰＣ（Ｐｅｒｓｏｎａｌ  Ｃｏｍｐｕｔｅｒ）、家庭用ゲーム機器、などの情報処理装置であってもよい。また、コンテンツは、写真や動画などの画像データを含んでもよいし、音声データを含んでもよい。
【００４１】
配送先通信装置３０は、配送物の受取人であるユーザＢが利用する通信装置である。配送元通信装置２０は、配送された配送物から識別情報を取得し、当該識別情報、およびコンテンツサーバ４０との通信に基づいて、配送元通信装置２０がコンテンツサーバ４０に送信したコンテンツを取得する。例えば、配送先通信装置３０は、配送されたはがき５０の無線タグ切手５２との近接通信により無線タグ切手５２から切手ＩＤを取得する。そして、配送先通信装置３０は、取得した切手ＩＤをコンテンツサーバ４０に送信することにより、当該送信に対する応答としてコンテンツサーバ４０からコンテンツを受信することができる。なお、配送先通信装置３０としては、配送元通信装置２０と同様に多様な情報処理装置を適用可能である。
【００４２】
コンテンツサーバ４０は、配送物の配送元であるユーザＡと配送先であるユーザＢとのコンテンツの共有を支援する。例えば、コンテンツサーバ４０は、配送元通信装置２０から受信したコンテンツおよび切手ＩＤを関連付けて記憶し、配送先通信装置３０から切手ＩＤを受信すると、当該切手ＩＤと関連付けて記憶しているコンテンツを配送先通信装置３０に送信する。
【００４３】
ここで、上述した配送元通信装置２０からコンテンツサーバ４０へのコンテンツの送信は、例えばユーザＡが配送元通信装置２０と無線タグ切手５２とを近接させることに基づいて実行される。配送先通信装置３０によるコンテンツサーバ４０からのコンテンツの取得も同様に、例えばユーザＢが配送先通信装置３０と無線タグ切手５２とを近接させることに基づいて実行される。すなわち、本発明の実施形態によれば、配送元通信装置２０または配送先通信装置３０と無線タグ切手５２との近接という簡易な操作により、配送物であるはがき５０とコンテンツの一体的な授受を実現することができる。従って、ＩＴリテラシの乏しいユーザであっても、本発明の実施形態によるコンテンツ提供システムの利用により、配送物とコンテンツの一体的な授受を簡易に行うことが可能となる。また、上記構成によれば、ユーザＢに、無線タグ切手５２が貼付されたはがき５０からコンテンツが得られたような感覚を与えることもできる。すなわち、はがき５０のような配送物とコンテンツが一体的に届いたかのような感覚をユーザＢに与えることが可能である。以下、このような本発明による第１の実施形態から第４の実施形態を順次詳細に説明する。
【００４４】
＜第１の実施形態＞
図２は、本発明の第１の実施形態による各装置の構成を示した機能ブロック図である。
【００４５】
（配送元通信装置２０−１）
図２に示したように、第１の実施形態による配送元通信装置２０−１は、近接通信部２２０、ネットワーク通信部２３０、操作部２４０、表示部２５０および制御部２６１を有する。
【００４６】
近接通信部２２０は、近接通信機能を有する他の通信相手と近接通信を行う。例えば、本実施形態による近接通信部２２０は、配送するはがき５０に貼付された無線タグ切手５２と近接通信を行い、無線タグ切手５２に格納されている切手ＩＤを取得する識別情報取得部として機能する。なお、近接通信部２２０の機能は、配送元通信装置２０−１の外付け用機器に実装することも可能である。この場合、外付け用機器から切手ＩＤの入力を受ける配送元通信装置２０−１の構成を識別情報取得部として捉えることができる。また、近接通信の方式としては、磁界結合を用いる方式や電界結合を用いる方式など多様な方式が挙げられる。
【００４７】
ネットワーク通信部２３０は、ネットワーク１２と接続された装置と多様なデータを送受信する。例えば、本実施形態によるネットワーク通信部２３０は、近接通信部２２０により取得された切手ＩＤ、および操作部２４０に対するユーザ操作により選択されたコンテンツを関連付けてコンテンツサーバ４０に送信する送信部として機能する。コンテンツは、上述した音声データまたは画像データの他、配送元通信装置２０−１のアドレスデータを含んでもよい。なお、ネットワーク通信部２３０の通信方式は、無線通信方式であってもよいし、有線通信方式であってもよい。
【００４８】
操作部２４０は、ユーザにより配送元通信装置２０−１への情報入力や各種指示のための操作が行われる構成である。例えば、本実施形態による操作部２４０は、ユーザによるコンテンツの選択操作を検出し、検出結果を制御部２６１に出力する。なお、操作部２４０は、タッチパネル、キーボード、マウス、またはボタンなどの操作検出機により構成されてもよい。
【００４９】
表示部２５０は、制御部２６１からの制御に従って各種画面を表示する。例えば、本実施形態による表示部２５０は、ネットワーク通信部２３０からコンテンツサーバ４０−１に送信するコンテンツをユーザが選択する画面を表示する。また、本実施形態による表示部２５０は、ネットワーク通信部２３０から送信され、配送先通信装置３０−１において再生されたコンテンツを視聴するユーザの写真を表示する。なお、表示部２５０は、液晶表示ディスプレイまたは有機ＥＬ（Ｅｍｉｔｔｉｎｇ  Ｄｉｏｄｅ）ディスプレイなどのディスプレイにより構成されてもよい。
【００５０】
制御部２６１は、配送元通信装置２０−１の動作全般を制御する。例えば、本実施形態による制御部２６１は、ネットワーク通信部２３０に、近接通信部２２０により取得された切手ＩＤ、操作部２４０に対するユーザ操作により選択されたコンテンツをコンテンツサーバ４０−１へ送信させる。また、制御部２６１は、各種画面を生成し、生成した画面を表示部２５０に表示させる。なお、この制御部２６１の機能は、ＣＰＵ（Ｃｅｎｔｒａｌ  Ｐｒｏｃｅｓｓｉｎｇ  Ｕｎｉｔ）が、ＲＡＭ（Ｒａｎｄｏｍ  Ａｃｃｅｓｓ  Ｍｅｍｏｒｙ）を用いて、例えばＲＯＭ（Ｒｅａｄ  Ｏｎｌｙ  Ｍｅｍｏｒｙ）に格納されたプログラムを実行することにより実現され得る。
【００５１】
（配送先通信装置３０−１）
配送先通信装置３０−１は、図２に示すように、近接通信部３２０、ネットワーク通信部３３０、操作部３４０、表示部３５０、撮像部３５４および制御部３６１を有する。
【００５２】
近接通信部３２０は、近接通信機能を有する他の通信相手と近接通信を行う。例えば、本実施形態による近接通信部３２０は、配送されたはがき５０に貼付された無線タグ切手５２と近接通信を行い、無線タグ切手５２に格納されている切手ＩＤを取得する識別情報取得部として機能する。なお、近接通信部３２０の機能は、配送先通信装置３０−１の外付け用機器に実装することも可能である。この場合、外付け用機器から切手ＩＤの入力を受ける配送先通信装置３０−１の構成を識別情報取得部として捉えることができる。
【００５３】
ネットワーク通信部３３０は、ネットワーク１２と接続された装置と多様なデータを送受信する。例えば、本実施形態によるネットワーク通信部３３０は、近接通信部３２０により取得された切手ＩＤをコンテンツサーバ４０に送信し、当該送信に対する応答としてコンテンツサーバ４０からコンテンツを受信するコンテンツ取得部として機能する。
【００５４】
操作部３４０は、ユーザにより配送先通信装置３０−１への情報入力や各種指示のための操作が行われる構成である。この操作部３４０は、タッチパネル、キーボード、マウス、またはボタンなどの操作検出機により構成されてもよい。
【００５５】
表示部３５０は、制御部３６１からの制御に従って各種画面を表示する。例えば、本実施形態による表示部３５０は、ネットワーク通信部３３０により取得されたコンテンツを表示することが可能である。なお、表示部３５０は、液晶表示ディスプレイまたは有機ＥＬディスプレイなどのディスプレイにより構成されてもよい。
【００５６】
撮像部３５４は、光を集光する撮影レンズおよびズームレンズなどの撮像光学系、およびＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの信号変換素子を有する。撮像光学系は、被写体から発せられる光を集光して信号変換部に被写体像を形成し、信号変換素子は、形成された被写体像を電気的な画像信号に変換する。例えば、本実施形態による撮像部３５４は、制御部３６４からの制御に従い、表示部３５０に表示されるコンテンツを視聴するユーザを撮像する。
【００５７】
制御部３６１は、配送先通信装置３０−１の動作全般を制御する。例えば、本実施形態による制御部３６１は、ネットワーク通信部３３０に、近接通信部３２０により取得された切手ＩＤをコンテンツサーバ４０−１へ送信させる。また、制御部３６１は、コンテンツサーバ４０−１からネットワーク通信部３３０により受信されたコンテンツを再生する再生部３７０の機能を有する。再生部３７０がコンテンツを再生することにより、表示部３５０に再生されたコンテンツが表示される。なお、この制御部３６１の機能は、ＣＰＵが、ＲＡＭを用いて、例えばＲＯＭに格納されたプログラムを実行することにより実現され得る。
【００５８】
（コンテンツサーバ４０−１）
コンテンツサーバ４０−１は、図２に示すように、ネットワーク通信部４３０、記憶部４５０および制御部４６１を有する。
【００５９】
ネットワーク通信部４３０は、ネットワーク１２と接続された装置と多様なデータを送受信する。例えば、本実施形態によるネットワーク通信部４３０は、配送元通信装置２０−１からコンテンツおよび切手ＩＤを受信し、配送先通信装置３０−１にコンテンツを送信する通信部として機能する。
【００６０】
記憶部４５０は、図３に示すように、ネットワーク通信部４３０により配送元通信装置２０−１から受信されたコンテンツおよび切手ＩＤを関連付けて記憶する。この記憶部４５０は、ハードディスクドライブにより構成されてもよい。
【００６１】
制御部４６１は、コンテンツサーバ４０−１の動作全般を制御する。例えば、本実施形態による制御部４６１は、ネットワーク通信部４３０により配送元通信装置２０−１から受信されたコンテンツおよび切手ＩＤの記憶部４５０への記録、配送先通信装置３０−１から受信された切手ＩＤに関連付けて記憶部４５０に記憶されているコンテンツの抽出、抽出したコンテンツのネットワーク通信部４３０から配送先通信装置３０−１への送信などを制御する。なお、この制御部４６１の機能は、ＣＰＵが、ＲＡＭを用いて、例えばＲＯＭに格納されたプログラムを実行することにより実現され得る。
【００６２】
（動作）
以上、本発明の第１の実施形態による配送元通信装置２０−１、配送先通信装置３０−１およびコンテンツサーバ４０−１の構成を説明した。続いて、本発明の第１の実施形態による動作として、図４を参照し、配送元通信装置２０−１、配送先通信装置３０−１およびコンテンツサーバ４０−１により行われる処理の流れを説明する。
【００６３】
図４は、本発明の第１の実施形態による動作を示した説明図である。図４に示したように、まず、配送元通信装置２０−１のユーザＡが、操作部２４０に対する操作によりユーザＢに届けるためのコンテンツを選択し（Ｓ５０４）、配送元通信装置２０−１と無線タグ切手５２とを近接させると（Ｓ５０８）、配送元通信装置２０−１の近接通信部２２０が無線タグ切手５２から近接通信により切手ＩＤを取得する（Ｓ５１２）。
【００６４】
そして、配送元通信装置２０−１のネットワーク通信部２３０は、制御部２６１の制御に従い、近接通信部２２０により取得された切手ＩＤ、および操作部２４０に対するユーザ操作により選択されたコンテンツを関連付けてコンテンツサーバ４０−１に送信する（Ｓ５１６）。コンテンツサーバ４０−１は、配送元通信装置２０−１から受信した切手ＩＤおよびコンテンツを関連付けて記憶する（Ｓ５２０）。そして、無線タグ切手５２が貼付されたはがき５０の配送手続がユーザＡにより行われ、はがき５０がユーザＢに配送される（Ｓ５４０）。
【００６５】
その後、はがき５０を受け取ったユーザＢがはがき５０の無線タグ切手５２に配送先通信装置３０−１を近接させると（Ｓ５４４）、配送先通信装置３０−１の近接通信部３２０が無線タグ切手５２から近接通信により切手ＩＤを取得する（Ｓ５４８）。
【００６６】
次いで、配送先通信装置３０−１のネットワーク通信部３３０が、制御部３６１の制御に従い、近接通信部３２０により取得された切手ＩＤをコンテンツサーバ４０−１に送信する（Ｓ５５２）。なお、制御部３６１は、近接通信部３２０による切手ＩＤの取得に基づいて本実施形態によるサービスのためのアプリケーションを起動し、当該アプリケーションに設定されているアドレスデータを用いてコンテンツサーバ４０−１への切手ＩＤの送信を制御してもよい。かかる構成によれば、配送先通信装置３０−１のユーザがアプリケーションを起動させる手間や、コンテンツサーバ４０−１のアドレスデータを入力する手間を省略し、単に配送先通信装置３０−１と無線タグ切手５２を近接させるだけで自動的に切手ＩＤをコンテンツサーバ４０−１に送信することが可能である。
【００６７】
コンテンツサーバ４０−１のネットワーク通信部４３０が切手ＩＤを受信すると、制御部４６１は、切手ＩＤに関連付けて記憶されているコンテンツを記憶部４５０から抽出する（Ｓ５５６）。そして、ネットワーク通信部４３０が、制御部４６１の制御に従い、抽出されたコンテンツを配送先通信装置３０−１に送信する（Ｓ５６０）。
【００６８】
その後、コンテンツサーバ４０−１から送信されたコンテンツを配送先通信装置３０−１の再生部３７０が再生することにより、表示部３５０にコンテンツが表示され、ユーザがコンテンツを視聴可能となる（Ｓ５６４）。
【００６９】
ここで、制御部３６１は、コンテンツの再生中に撮像部３５４に撮像指示を出力する。すなわち、撮像部３５４は、コンテンツを視聴しているユーザＢを撮像する（Ｓ５６８）。そして、制御部３６１は、コンテンツに含まれる配送元通信装置２０−１のアドレスデータに基づき、撮像部３５４により撮像されたユーザＢの画像を含むコンテンツ再生通知を配送元通信装置２０−１に送信し（Ｓ５７２）、配送元通信装置２０−１の表示部２５０がユーザＢの画像を表示する（Ｓ５７６）。かかる構成により、差出人であるユーザＡが、はがき５０およびコンテンツを受け取ったユーザＢの反応を知ることが可能となる。
【００７０】
（効果）
以上説明したように、本発明の第１の実施形態によれば、無線タグ切手５２が貼付されたはがき５０がユーザＢに届くことにより、ユーザＡが配送元通信装置２０−１から送信したコンテンツを配送先通信装置３０−１においてユーザＢが視聴可能となる。このため、ユーザＢに、無線タグ切手５２が貼付されたはがき５０からコンテンツが得られたような感覚を与えることができる。すなわち、はがき５０のような配送物とコンテンツが一体的に届いたかのような感覚をユーザＢに与えることが可能である。
【００７１】
また、配送元通信装置２０−１からコンテンツサーバ４０−１へのコンテンツの送信は、例えばユーザＡが配送元通信装置２０−１と無線タグ切手５２とを近接させることに基づいて実行される。配送先通信装置３０−１によるコンテンツサーバ４０−１からのコンテンツの取得も同様に、例えばユーザＢが配送先通信装置３０−１と無線タグ切手５２とを近接させることに基づいて実行される。すなわち、本発明の第１の実施形態によれば、配送元通信装置２０−１または配送先通信装置３０−１と無線タグ切手５２との近接という簡易な操作により、配送物であるはがき５０とコンテンツの一体的な授受を実現することができる。従って、ＩＴリテラシの乏しいユーザであっても、本発明の第１の実施形態によるコンテンツ提供システムの利用により、配送物とコンテンツの一体的な授受を簡易に行うことが可能となる。
【００７２】
さらに、本発明の第１の実施形態によれば、ユーザＡから届けられたコンテンツを視聴するユーザＢの様子がユーザＡの配送元通信装置２０−１に通知されるので、ユーザＡは、はがき５０およびコンテンツを受け取ったユーザＢの反応を知ることが可能となる。
【００７３】
＜第２の実施形態＞
以上、本発明の第１の実施形態を説明した。続いて、本発明の第２の実施形態を説明する。本発明の第２の実施形態によれば、はがき５０の正当な受取人でない第三者がコンテンツを取得することを防ぎ得る
【００７４】
（構成）
図５は、本発明の第２の実施形態による各装置の構成を示した機能ブロック図である。第２の実施形態は、図５に示したように利用者ＩＤが格納された利用者カード６０を用いる点で主に第１の実施形態と相違する。一方、本発明の第２の実施形態による配送元通信装置２０−２、配送先通信装置３０−２およびコンテンツサーバ４０−２の構成には、第１の実施形態で説明した配送元通信装置２０−１、配送先通信装置３０−１およびコンテンツサーバ４０−１の構成と共通する部分が多いので、以下では第１の実施形態との相違点を主に説明する。
【００７５】
第２の実施形態による配送元通信装置２０−２の制御部２６２は、ネットワーク通信部２３０に、近接通信部２２０により取得された切手ＩＤ、操作部２４０に対するユーザ操作により選択されたコンテンツと共に、配送物であるはがき５０の宛先情報をコンテンツサーバ４０−２に送信させる。なお、はがき５０の宛先情報は、例えば操作部２４０に対するユーザ操作により入力される。
【００７６】
第２の実施形態による配送先通信装置３０−２の近接通信部３２０は、利用者ＩＤが格納された利用者カード６０から近接通信により利用者ＩＤを取得する。ネットワーク通信部３３０は、制御部３６２の制御に従い、利用者カード６０から取得された利用者ＩＤをコンテンツサーバ４０−２に送信し、当該送信に対する応答として、コンテンツを取得するために用いられるコンテンツキーをコンテンツサーバ４０−２から取得する。はがき５０がユーザＢに届き、ユーザＢがコンテンツを取得する場面では、ネットワーク通信部３３０は、切手ＩＤに加えてコンテンツキーをコンテンツサーバ４０−２に送信する。なお、利用者カード６０は、ユーザからの申請に応じて、ユーザの通信装置および住所の正当性が確認された場合に発行されるものであってもよい。
【００７７】
第２の実施形態によるコンテンツサーバ４０−２の制御部４６２は、キー生成部４７２および認証部４７４を有する。
【００７８】
キー生成部４７２は、ネットワーク通信部４３０により配送元通信装置２０−２から受信された切手ＩＤおよび宛先情報からランダムなコンテンツキーを生成する。キー生成部４７２により生成されたコンテンツキーは、図６に示したように、切手ＩＤ、宛先情報およびコンテンツに関連付けて記憶部４５０に記憶される。
【００７９】
認証部４７４は、ネットワーク通信部４３０により配送先通信装置３０−２から利用者ＩＤが受信されると、記憶部４５０に記憶されている利用者テーブルを参照し、配送先通信装置３０−２の正当性を認証する。例えば、利用者テーブルにおいては、図７に示したように利用者ＩＤ、通信装置ＩＤおよび宛先情報が関連付けられており、認証部４７４は、配送先通信装置３０−２から受信した利用者ＩＤと、配送先通信装置３０−２の通信装置ＩＤの組み合わせに合致するエントリが利用者テーブルに含まれるか否かを判断する。そして、利用者ＩＤと通信装置ＩＤの組み合わせに合致するエントリが利用者テーブルに含まれる場合、認証部４７４は、当該エントリに含まれる宛先情報に関連付けて記憶されているコンテンツキーを記憶部４５０から抽出する。
【００８０】
例えば、通信装置ＩＤが「ＤＢ」である配送先通信装置３０−２から利用者ＩＤ「ＵＢ」をネットワーク通信部４３０が受信した場合、認証部４７４は、通信装置ＩＤ「ＤＢ」と利用者ＩＤ「ＵＢ」の組み合わせに合致するエントリが利用者テーブルに含まれるか否かを判断する。ここで、図７に示したように通信装置ＩＤ「ＤＢ」と利用者ＩＤ「ＵＢ」の組み合わせに合致するエントリが利用者テーブルに存在し、当該エントリの宛先情報「住所Ｂ」には図６に示したようにコンテンツキー「ＫＢ」が関連付けられて記憶部４５０に記憶されている。このため、認証部４７４は、コンテンツキー「ＫＢ」を記憶部４５０から抽出する。認証部４７４により抽出されたコンテンツキーは、ネットワーク通信部４３０から配送先通信装置３０−２に送信される。
【００８１】
（動作）
以上、本発明の第２の実施形態による配送元通信装置２０−２、配送先通信装置３０−２およびコンテンツサーバ４０−２の構成を説明した。続いて、本発明の第２の実施形態による動作として、図８を参照し、配送元通信装置２０−２、配送先通信装置３０−２およびコンテンツサーバ４０−２により行われる処理の流れを説明する。
【００８２】
図８は、本発明の第２の実施形態による動作を示した説明図である。図８に示したように、まず、配送元通信装置２０−２のユーザＡが、操作部２４０に対する操作によりユーザＢに届けるためのコンテンツを選択し（Ｓ６０４）、配送元通信装置２０−２と無線タグ切手５２とを近接させると（Ｓ６０８）、配送元通信装置２０−２の近接通信部２２０が無線タグ切手５２から近接通信により切手ＩＤを取得する（Ｓ６１２）。
【００８３】
そして、配送元通信装置２０−２のネットワーク通信部２３０は、制御部２６２の制御に従い、近接通信部２２０により取得された切手ＩＤ、操作部２４０に対するユーザ操作により選択されたコンテンツ、および別途指定されたユーザＢの宛先情報を関連付けてコンテンツサーバ４０−２に送信する（Ｓ６１６）。コンテンツサーバ４０−２のキー生成部４７２は、配送元通信装置２０−２から受信した切手ＩＤおよび宛先情報を用いてランダムなコンテンツキーを生成する（Ｓ６１８）。そして、コンテンツサーバ４０−２の記憶部４５０が、キー生成部４７２により生成されたコンテンツキーを、図６に示したように切手ＩＤ、宛先情報およびコンテンツと関連付けて記憶する（Ｓ６２０）。
【００８４】
一方、ユーザＢは、例えばユーザＡからの連絡に基づき、コンテンツを取得するための準備を進める。具体的には、ユーザＢが利用者カード６０に配送先通信装置３０−２を近接させることにより（Ｓ６２２）、配送先通信装置３０−２が利用者カード６０から利用者ＩＤを取得する（Ｓ６２４）。そして、ネットワーク通信部３３０が、制御部３６２の制御に従い、コンテンツキーの送信要求として、近接通信部３２０により取得された利用者ＩＤをコンテンツサーバ４０−２に送信する（Ｓ６２６）。
【００８５】
コンテンツサーバ４０−２のネットワーク通信部４３０が利用者ＩＤを受信すると、認証部４７４は、配送先通信装置３０−２から受信した利用者ＩＤと、配送先通信装置３０−２の通信装置ＩＤの組み合わせに合致するエントリが利用者テーブルに含まれるか否かを判断する。そして認証部４７４は、利用者ＩＤと通信装置ＩＤの組み合わせに合致するエントリが利用者テーブルに含まれる場合、当該エントリに含まれる宛先情報に関連付けて記憶されているコンテンツキーを記憶部４５０から抽出する（Ｓ６２８）。認証部４７４により抽出されたコンテンツキーは、ネットワーク通信部４３０から配送先通信装置３０−２に送信される（Ｓ６３０）。
【００８６】
その後、無線タグ切手５２が貼付されたはがき５０がユーザＢに配送されると（Ｓ６４０）、ユーザＢがはがき５０の無線タグ切手５２に配送先通信装置３０−２を近接させ（Ｓ６４４）、配送先通信装置３０−２の近接通信部３２０が無線タグ切手５２から近接通信により切手ＩＤを取得する（Ｓ６４８）。
【００８７】
次いで、配送先通信装置３０−２のネットワーク通信部３３０が、制御部３６２の制御に従い、近接通信部３２０により取得された切手ＩＤ、およびＳ６３０において取得したコンテンツキーをコンテンツサーバ４０−２に送信する（Ｓ６５２）。
【００８８】
なお、本実施形態によるサービスを利用して複数のはがき５０およびコンテンツがユーザＢに提供される場合、ユーザＢの配送先通信装置３０−２は複数のコンテンツキーを取得することになる。この場合、配送先通信装置３０−２は、近接通信部３２０により取得された切手ＩＤと共に、いずれのコンテンツキーを送信すればよいかを判断することが困難である。そこで、コンテンツサーバ４０−２は、Ｓ６３０において、コンテンツキーと切手ＩＤを関連付けて配送先通信装置３０−２に送信してもよい。かかる構成によれば、配送先通信装置３０−２は、Ｓ６４８において取得された切手ＩＤに対応するコンテンツの取得のために、当該切手ＩＤと共に、当該切手ＩＤに関連付けられたコンテンツキーを送信すればよいことを認識可能となる。
【００８９】
コンテンツサーバ４０−２のネットワーク通信部４３０が切手ＩＤおよびコンテンツキーを受信すると、制御部４６２は、切手ＩＤおよびコンテンツキーの組み合わせに関連付けて記憶されているコンテンツを記憶部４５０から抽出する（Ｓ６５６）。そして、ネットワーク通信部４３０が、制御部４６２の制御に従い、抽出されたコンテンツを配送先通信装置３０−２に送信する（Ｓ６６０）。
【００９０】
その後、コンテンツサーバ４０−２から送信されたコンテンツを配送先通信装置３０−２の再生部３７０が再生することにより、表示部３５０にコンテンツが表示され、ユーザがコンテンツを視聴可能となる（Ｓ６６４）。
【００９１】
ここで、制御部３６２は、コンテンツの再生中に撮像部３５４に撮像指示を出力する。すなわち、撮像部３５４は、コンテンツを視聴しているユーザＢを撮像する（Ｓ６６８）。そして、制御部３６２は、コンテンツに含まれる配送元通信装置２０−２のアドレスデータに基づき、撮像部３５４により撮像されたユーザＢの画像を含むコンテンツ再生通知を配送元通信装置２０−２に送信し（Ｓ６７２）、配送元通信装置２０−２の表示部２５０がユーザＢの画像を表示する（Ｓ６７６）。かかる構成により、差出人であるユーザＡが、はがき５０およびコンテンツを受け取ったユーザＢの反応を知ることが可能となる。
【００９２】
（効果）
以上説明したように、本発明の第２の実施形態によれば、コンテンツの取得に必要な切手ＩＤとコンテンツキーとが、配送路とネットワーク通信路という別々の手段で届けられるので、切手ＩＤとコンテンツキーの双方が第三者の手に渡ることを防止し得る。切手ＩＤとコンテンツキーの一方が第三者の手に渡っても、他方が無ければコンテンツを取得できないので、本発明の第２の実施形態によれば、第１の実施形態で説明した効果に加え、コンテンツの取得に関するセキュリティを向上できるという効果が得られる。
【００９３】
＜第３の実施形態＞
以上、本発明の第２の実施形態を説明した。続いて、本発明の第３の実施形態を説明する。本発明の第３の実施形態によれば、ユーザＢがはがき５０を受け取った後に配送先通信装置３０−３がコンテンツをよりスムーズな再生することが可能となる。
【００９４】
（構成）
図９は、本発明の第３の実施形態による各装置の構成を示した機能ブロック図である。本発明の第３の実施形態による配送元通信装置２０−３、配送先通信装置３０−３およびコンテンツサーバ４０−３の構成の多くは、第２の実施形態で説明した配送元通信装置２０−２、配送先通信装置３０−２およびコンテンツサーバ４０−２の構成と共通するので、以下では第２の実施形態との相違点を主に説明する。
【００９５】
第３の実施形態による配送元通信装置２０−３の制御部２６３は、第２の実施形態による配送元通信装置２０−２と同様に、ネットワーク通信部２３０に、近接通信部２２０により取得された切手ＩＤ、操作部２４０に対するユーザ操作により選択されたコンテンツと共に、配送物であるはがき５０の宛先情報をコンテンツサーバ４０−３に送信させる。
【００９６】
第３の実施形態によるコンテンツサーバ４０−３の制御部４６３は、認証部４７４および暗号化部４７６を有する。
【００９７】
暗号化部４７６は、ネットワーク通信部４３０により配送元通信装置２０−３から受信されたコンテンツの一部分を、ネットワーク通信部４３０により配送元通信装置２０−３から受信された切手ＩＤを用いて暗号化することにより、暗号化コンテンツを生成する。この暗号化コンテンツと、コンテンツの残り部分は、切手ＩＤおよび宛先情報に関連付けて記憶部４５０に記憶される。
【００９８】
認証部４７４は、第２の実施形態と同様に、配送先通信装置３０−３から受信された利用者ＩＤおよび配送先通信装置３０−３の通信装置ＩＤに基づいて配送先通信装置３０−３の正当性を認証する。そして、認証部４７４は、利用者ＩＤおよび通信装置ＩＤの組み合わせに合致するエントリが利用者テーブルに含まれる場合、当該エントリに含まれる宛先情報に関連付けて記憶されている暗号化コンテンツを記憶部４５０から抽出する。認証部４７４により抽出された暗号化コンテンツは、ネットワーク通信部４３０から配送先通信装置３０−３に送信される。
【００９９】
また、第３の実施形態によるコンテンツサーバ４０−３の制御部４６３は、配送先通信装置３０−３から切手ＩＤが受信された場合、当該切手ＩＤに関連付けて記憶されているコンテンツの残り部分を記憶部４５０から抽出する。制御部４６３により抽出されたコンテンツの残り部分は、ネットワーク通信部４３０から配送先通信装置３０−３に送信される。
【０１００】
第３の実施形態による配送先通信装置３０−３のネットワーク通信部３３０は、制御部３６３の制御に従い、利用者カードを用いて、第２の実施形態で説明したコンテンツキーに代えて、コンテンツサーバ４０−３から暗号化コンテンツを取得する。また、はがき５０がユーザＢに届いた後は、ネットワーク通信部３３０は、制御部３６３の制御に従い、切手ＩＤをコンテンツサーバ４０−３に送信し、当該送信に対する応答として、コンテンツサーバ４０−３からコンテンツの残り部分を取得する。
【０１０１】
また、第３の実施形態による制御部３６３は、再生部３７０および復号部３７２を有する。復号部３７２は、ネットワーク通信部３３０により取得された暗号化コンテンツを、近接通信部３２０により無線タグ切手５２から取得された切手ＩＤを用いて復号する。再生部３７０は、復号部３７２の復号により得られたコンテンツの一部分、およびネットワーク通信部３３０により取得されたコンテンツの残り部分を再生する。
【０１０２】
（動作）
以上、本発明の第３の実施形態による配送元通信装置２０−３、配送先通信装置３０−３およびコンテンツサーバ４０−３の構成を説明した。続いて、本発明の第３の実施形態による動作として、図１１を参照し、配送元通信装置２０−３、配送先通信装置３０−３およびコンテンツサーバ４０−３により行われる処理の流れを説明する。
【０１０３】
図１１は、本発明の第３の実施形態による動作を示した説明図である。図１１に示したように、まず、配送元通信装置２０−３のユーザＡが、操作部２４０に対する操作によりユーザＢに届けるためのコンテンツを選択し（Ｓ７０４）、配送元通信装置２０−３と無線タグ切手５２とを近接させると（Ｓ７０８）、配送元通信装置２０−３の近接通信部２２０が無線タグ切手５２から近接通信により切手ＩＤを取得する（Ｓ７１２）。
【０１０４】
そして、配送元通信装置２０−３のネットワーク通信部２３０は、制御部２６３の制御に従い、近接通信部２２０により取得された切手ＩＤ、操作部２４０に対するユーザ操作により選択されたコンテンツ、および別途指定されたユーザＢの宛先情報を関連付けてコンテンツサーバ４０−３に送信する（Ｓ７１６）。コンテンツサーバ４０−３の暗号化部４７６は、配送元通信装置２０−３から受信した切手ＩＤを用いて、配送元通信装置２０−３から受信したコンテンツの一部分を暗号化する（Ｓ７１８）。この暗号化コンテンツと、コンテンツの残り部分は、図１０に示したように、切手ＩＤおよび宛先情報に関連付けて記憶部４５０に記憶される（Ｓ７２０）。
【０１０５】
一方、ユーザＢは、例えばユーザＡからの連絡に基づき、コンテンツを取得するための準備を進める。具体的には、ユーザＢが利用者カード６０に配送先通信装置３０−３を近接させることにより（Ｓ７２２）、配送先通信装置３０−３が利用者カード６０から利用者ＩＤを取得する（Ｓ７２４）。そして、ネットワーク通信部３３０が、制御部３６３の制御に従い、コンテンツキーの送信要求として、近接通信部３２０により取得された利用者ＩＤをコンテンツサーバ４０−３に送信する（Ｓ７２６）。
【０１０６】
コンテンツサーバ４０−３のネットワーク通信部４３０が利用者ＩＤを受信すると、認証部４７４は、配送先通信装置３０−３から受信した利用者ＩＤと、配送先通信装置３０−３の通信装置ＩＤの組み合わせに合致するエントリが利用者テーブルに含まれるか否かを判断する。そして認証部４７４は、利用者ＩＤと通信装置ＩＤの組み合わせに合致するエントリが利用者テーブルに含まれる場合、当該エントリに含まれる宛先情報に関連付けて記憶されている暗号化コンテンツを記憶部４５０から抽出する（Ｓ７２８）。認証部４７４により抽出された暗号化コンテンツは、ネットワーク通信部４３０から配送先通信装置３０−３に送信される（Ｓ７３０）。
【０１０７】
その後、無線タグ切手５２が貼付されたはがき５０がユーザＢに配送されると（Ｓ７４０）、ユーザＢがはがき５０の無線タグ切手５２に配送先通信装置３０−３を近接させ（Ｓ７４４）、配送先通信装置３０−３の近接通信部３２０が無線タグ切手５２から近接通信により切手ＩＤを取得する（Ｓ７４８）。
【０１０８】
次いで、配送先通信装置３０−３のネットワーク通信部３３０が、制御部３６３の制御に従い、近接通信部３２０により取得された切手ＩＤをコンテンツサーバ４０−３に送信する（Ｓ７５２）。
【０１０９】
コンテンツサーバ４０−３のネットワーク通信部４３０が切手ＩＤを受信すると、制御部４６３は、切手ＩＤに関連付けて記憶されているコンテンツの残り部分を記憶部４５０から抽出する（Ｓ７５６）。そして、ネットワーク通信部４３０が、制御部４６３の制御に従い、抽出されたコンテンツの残り部分を配送先通信装置３０−３に送信する（Ｓ７６０）。
【０１１０】
その後、配送先通信装置３０−３の復号部３７２が、Ｓ７３０で取得された暗号化コンテンツを、Ｓ７４８で取得された切手ＩＤを用いて復号し、再生部３７０が、復号部３７２の復号により得られたコンテンツの一部分、およびＳ７６０で取得されたコンテンツの残り部分を再生する（Ｓ７６４）。これにより、表示部３５０にコンテンツが表示され、ユーザがコンテンツを視聴可能となる。
【０１１１】
ここで、制御部３６３は、コンテンツの再生中に撮像部３５４に撮像指示を出力する。すなわち、撮像部３５４は、コンテンツを視聴しているユーザＢを撮像する（Ｓ７６８）。そして、制御部３６３は、コンテンツに含まれる配送元通信装置２０−３のアドレスデータに基づき、撮像部３５４により撮像されたユーザＢの画像を含むコンテンツ再生通知を配送元通信装置２０−３に送信し（Ｓ７７２）、配送元通信装置２０−３の表示部２５０がユーザＢの画像を表示する（Ｓ７７６）。かかる構成により、差出人であるユーザＡが、はがき５０およびコンテンツを受け取ったユーザＢの反応を知ることが可能となる。
【０１１２】
（効果）
以上説明したように、本発明の第３の実施形態によれば、コンテンツの再生に必要な切手ＩＤおよび暗号化コンテンツが、配送路とネットワーク通信路という別々の手段で届けられるので、切手ＩＤとコンテンツキーの双方が第三者の手に渡ることを防止し得る。さらに、暗号化コンテンツとコンテンツの残り部分もまた、配送路とネットワーク通信路という別々の手段で届けられるので、暗号化コンテンツとコンテンツの残り部分の双方が第三者の手に渡ることを防止し得る。したがって、本発明の第３の実施形態によれば、第１および第２の実施形態で説明した効果に加え、コンテンツのセキュリティを一層向上できるという効果が得られる。
【０１１３】
さらに、本発明の第３の実施形態によれば、ユーザＢの配送先通信装置３０−３は、コンテンツの全体容量に対して支配的な容量を有する暗号化コンテンツをはがき５０がユーザＢに届く前に取得し得る。従って、はがき５０の受け取り後に配送先通信装置３０−３がコンテンツサーバ４０−３と行う通信のデータ量が抑制されるので、配送先通信装置３０−３とコンテンツサーバ４０−３の間の通信路の状況に依らず、コンテンツのスムーズな再生を実現することが可能である。
【０１１４】
＜第４の実施形態＞
以上、本発明の第３の実施形態を説明した。続いて、本発明の第４の実施形態を説明する。本発明の第４の実施形態によれば、第２の実施形態や第３の実施形態と異なる手段によりコンテンツのセキュリティを高めることが可能である。
【０１１５】
（構成）
図１２は、本発明の第４の実施形態による各装置の構成を示した機能ブロック図である。本発明の第４の実施形態による配送元通信装置２０−４、配送先通信装置３０−４およびコンテンツサーバ４０−４の構成の多くは、第１〜第３の実施形態で説明した配送元通信装置２０、配送先通信装置３０およびコンテンツサーバ４０の構成と共通するので、以下では第１〜第３の実施形態との相違点を主に説明する。
【０１１６】
第４の実施形態による配送元通信装置２０−４の制御部２６４は、近接通信部２２０による無線タグ切手５２へのデータの書き込みを制御する書込制御部２７０を有する。特に、本実施形態においては、ネットワーク通信部２３０がコンテンツサーバ４０−４から後述する暗号化メタデータを受信し、制御部２６４は、近接通信部２２０による当該暗号化メタデータの無線タグ切手５２への書込みを制御する。すなわち、近接通信部２２０は、無線タグ切手５２に暗号化メタデータを与えるデータ付与部として機能する。
【０１１７】
また、第４の実施形態による配送元通信装置２０−４の操作部２４０は、コンテンツサーバ４０−４におけるコンテンツの保存期間を指定するユーザ操作を受け付け、ネットワーク通信部２３０は、当該保存期間を示す保存期間情報を、コンテンツ、切手ＩＤおよび宛先情報と関連付けてコンテンツサーバ４０−４に送信する。
【０１１８】
第４の実施形態によるコンテンツサーバ４０−４の制御部４６４は、認証部４７４、判断部４７８および暗号化部４８０を有する。
【０１１９】
判断部４７８は、配送元通信装置２０−４からのユーザＢへのコンテンツ提供に関する要求が料金条件を満たすか否かを判断する。料金条件は、例えば、無線タグ切手５２の販売料金に応じた上限データサイズおよび上限保存期間などの条件であってもよい。この場合、判断部４７８は、配送元通信装置２０−４から受信したコンテンツのデータサイズ、および保存期間情報が、配送元通信装置２０−４から受信した切手ＩＤに対応する料金条件の範囲内であるかを判断し得る。判断部４７８により配送元通信装置２０−４からの要求が料金条件を満たさないと判断された場合、ネットワーク通信部４３０が配送元通信装置２０−４に失敗通知を送信する。なお、上限データサイズが大きいほど、または、上限保存期間が長いほど、コンテンツサーバ４０−４の負荷が高くなる一方、ユーザのメリットは高いので、高価な無線タグ切手５２ほど、より大きな上限データサイズ、または、より長い上限保存期間の料金条件が対応付けられてもよい。
【０１２０】
暗号化部４８０は、配送元通信装置２０−４から受信したコンテンツを暗号化する。以下、図１３を参照し、暗号化部４８０の機能をより詳細に説明する。
【０１２１】
図１３は、暗号化部４８０の詳細な機能を示した説明図である。図１３に示したように、暗号化部４８０は、コンテンツ分離部４８２、メタデータ暗号化部４８４およびメディアデータ暗号化部４８６を含む。
【０１２２】
コンテンツ分離部４８２は、コンテンツをメタデータおよびメディアデータに分離する。メタデータは、例えば、符号化方式やデータサイズなどのコンテンツのファイルフォーマットを示すパラメータのセットである。メディアデータは、コンテンツの本体データであり、写真や動画などの実データを含む。コンテンツの再生は、これらメタデータおよびメディアデータの双方の存在に基づいて可能となる。
【０１２３】
メタデータ暗号化部４８４は、コンテンツ分離部４８２により分離されたメタデータを、ランダムに設定したメタデータ暗号化キーを用いて暗号化し、暗号化メタデータを出力する。
【０１２４】
メディアデータ暗号化部４８６は、コンテンツ分離部４８２により分離されたメディアデータおよびメタデータ暗号化キーを、切手ＩＤを用いて暗号化し、暗号化メディアデータを出力する。
【０１２５】
メタデータ暗号化部４８４から出力された暗号化メタデータはネットワーク通信部４３０から配送元通信装置２０−４に送信され、メディアデータ暗号化部４８６から出力された暗号化メディアデータは、認証部４７４により正当性が確認された配送先通信装置３０−４にネットワーク通信部４３０から送信される。
【０１２６】
第４の実施形態による配送先通信装置３０−４の制御部３６４は、再生部３７０および復号部３７４を有する。復号部３７４は、暗号化メディアデータおよび暗号化メタデータからコンテンツを取得する取得部として機能する。具体的に説明すると、復号部３７４は、配送されたはがき５０の無線タグ切手５２から取得された切手ＩＤを用いて暗号化メディアデータを復号することにより、メディアデータおよびメタデータ暗号化キーを取得する。さらに、本実施形態においては無線タグ切手５２に暗号化メタデータも書込まれているので、復号部３７４は、メタデータ暗号化キーを用いて、無線タグ切手５２から取得される暗号化メタデータを復号することにより、メタデータを取得する。再生部３７０は、復号部３７４により取得されたメタデータおよびメディアデータに基づき、コンテンツを再生する。
【０１２７】
（動作）
以上、本発明の第４の実施形態による配送元通信装置２０−４、配送先通信装置３０−４およびコンテンツサーバ４０−４の構成を説明した。続いて、本発明の第４の実施形態による動作として、図１４を参照し、配送元通信装置２０−４、配送先通信装置３０−４およびコンテンツサーバ４０−４により行われる処理の流れを説明する。
【０１２８】
図１４は、本発明の第４の実施形態による動作を示した説明図である。図１４に示したように、まず、配送元通信装置２０−４のユーザＡが、操作部２４０に対する操作によりユーザＢに届けるためのコンテンツを選択し（Ｓ８０４）、配送元通信装置２０−４と無線タグ切手５２とを近接させると（Ｓ８０８）、配送元通信装置２０−４の近接通信部２２０が無線タグ切手５２から近接通信により切手ＩＤを取得する（Ｓ８１２）。
【０１２９】
そして、配送元通信装置２０−４のネットワーク通信部２３０は、制御部２６４の制御に従い、近接通信部２２０により取得された切手ＩＤ、操作部２４０に対するユーザ操作により選択されたコンテンツ、別途指定されたユーザＢの宛先情報および保存期間情報を関連付けてコンテンツサーバ４０−４に送信する（Ｓ８１６）。
【０１３０】
コンテンツサーバ４０−４の判断部４７８は、配送元通信装置２０−４からのユーザＢへのコンテンツ提供に関する要求が上述した料金条件を満たすか否かを判断する（Ｓ８１７）。そして、判断部４７８により配送元通信装置２０−４からの要求が料金条件を満たさないと判断された場合、ネットワーク通信部４３０が配送元通信装置２０−４に失敗通知を送信する（Ｓ８１７Ａ）。一方、判断部４７８により配送元通信装置２０−４からの要求が料金条件を満たすと判断された場合、暗号化部４８０が、配送元通信装置２０−４から受信したコンテンツを暗号化する。すなわち、暗号化部４８０は、切手ＩＤおよびメタデータ暗号化キーを用い、暗号化メタデータおよび暗号化メディアデータを出力する（Ｓ８１８）。
【０１３１】
暗号化メディアデータは、宛先情報に関連付けて記憶部４５０に記憶される（Ｓ８２０）。一方、暗号化メタデータはネットワーク通信部４３０から配送元通信装置２０−４に送信され（Ｓ８１７Ｂ）、配送元通信装置２０−４の書込制御部２７０による制御に従い、近接通信部２２０が暗号化メタデータを無線タグ切手５２に書き込む（Ｓ８２１）。
【０１３２】
一方、ユーザＢは、例えばユーザＡからの連絡に基づき、コンテンツを取得するための準備を進める。具体的には、ユーザＢが利用者カード６０に配送先通信装置３０−４を近接させることにより（Ｓ８２２）、配送先通信装置３０−４が利用者カード６０から利用者ＩＤを取得する（Ｓ８２４）。そして、ネットワーク通信部３３０が、制御部３６４の制御に従い、暗号化メディアデータの送信要求として、近接通信部３２０により取得された利用者ＩＤをコンテンツサーバ４０−４に送信する（Ｓ８２６）。
【０１３３】
コンテンツサーバ４０−４のネットワーク通信部４３０が利用者ＩＤを受信すると、認証部４７４は、配送先通信装置３０−４から受信した利用者ＩＤと、配送先通信装置３０−４の通信装置ＩＤの組み合わせに合致するエントリが利用者テーブルに含まれるか否かを判断する。そして認証部４７４は、利用者ＩＤと通信装置ＩＤの組み合わせに合致するエントリが利用者テーブルに含まれる場合、当該エントリに含まれる宛先情報に関連付けて記憶されている暗号化メディアデータを記憶部４５０から抽出する（Ｓ８２８）。認証部４７４により抽出された暗号化メディアデータは、ネットワーク通信部４３０から配送先通信装置３０−４に送信される（Ｓ８３０）。
【０１３４】
その後、無線タグ切手５２が貼付されたはがき５０がユーザＢに配送されると（Ｓ８４０）、ユーザＢがはがき５０の無線タグ切手５２に配送先通信装置３０−４を近接させ（Ｓ８４４）、配送先通信装置３０−４の近接通信部３２０が無線タグ切手５２から近接通信により切手ＩＤを取得する（Ｓ８４８）。
【０１３５】
そして、配送先通信装置３０−４の復号部３７４は、配送されたはがき５０の無線タグ切手５２から取得された切手ＩＤを用いて暗号化メディアデータを復号することにより、メディアデータおよびメタデータ暗号化キーを取得する。さらに、本実施形態においては無線タグ切手５２に暗号化メタデータも書込まれているので、復号部３７４は、メタデータ暗号化キーを用いて、無線タグ切手５２から取得される暗号化メタデータを復号することにより、メタデータを取得する。さらに、再生部３７０は、復号部３７４により取得されたメタデータおよびメディアデータに基づき、コンテンツを再生する（Ｓ８６４）。これにより、表示部３５０にコンテンツが表示され、ユーザがコンテンツを視聴可能となる。
【０１３６】
ここで、制御部３６４は、コンテンツの再生中に撮像部３５４に撮像指示を出力する。すなわち、撮像部３５４は、コンテンツを視聴しているユーザＢを撮像する（Ｓ８６８）。そして、制御部３６４は、コンテンツに含まれる配送元通信装置２０−４のアドレスデータに基づき、撮像部３５４により撮像されたユーザＢの画像を含むコンテンツ再生通知を配送元通信装置２０−４に送信し（Ｓ８７２）、配送元通信装置２０−４の表示部２５０がユーザＢの画像を表示する（Ｓ８７６）。かかる構成により、差出人であるユーザＡが、はがき５０およびコンテンツを受け取ったユーザＢの反応を知ることが可能となる。
【０１３７】
（効果）
以上説明したように、本発明の第４の実施形態によれば、コンテンツの再生に必要なメタデータおよびメディアデータが、配送路とネットワーク通信路という別々の手段で、暗号化された状態で送られる。さらに、ネットワーク通信路により送られる暗号化メディアデータの復号には配送により送られるはがき５０の切手ＩＤが必要であり、配送により送られる暗号化メタデータを復号するためにはネットワーク通信路により送られる暗号化メディアデータが正しく復号されている必要がある。すなわち、暗号化メディアデータと暗号化メタデータの復号は相互依存関係にあるので、暗号化メディアデータまたは暗号化メタデータの一方が第三者の手に渡っても、第三者によりコンテンツを取得されることを防止し得る。
【０１３８】
さらに、本発明の第４の実施形態によれば、はがき５０がユーザＢに届く前に、コンテンツの大部分を占めるメディアデータが暗号化された状態で配送先通信装置３０−４に格納され得る。従って、はがき５０がユーザＢに届いた後に、ネットワーク通信路の状況に依存することなく、配送先通信装置３０−４がコンテンツをスムーズに再生することが可能となる。
【０１３９】
＜むすび＞
以上説明したように、本発明の実施形態においては、配送元通信装置２０または配送先通信装置３０と無線タグ切手５２との近接という簡易な操作により、配送物であるはがき５０とコンテンツの一体的な授受を実現することができる。従って、ＩＴリテラシの乏しいユーザであっても、本発明の実施形態によるコンテンツ提供システムの利用により、配送物とコンテンツの一体的な授受を簡易に行うことが可能となる。また、上記構成によれば、ユーザＢに、無線タグ切手５２が貼付されたはがき５０からコンテンツが得られたような感覚を与えることもできる。すなわち、はがき５０のような配送物とコンテンツが一体的に届いたかのような感覚をユーザＢに与えることが可能である。また、本発明の第２〜第４の実施形態によれば、コンテンツの取得に関するセキュリティを向上することが可能である。
【０１４０】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１４１】
例えば、上記では、配送物であるはがき５０に識別情報を与える手段として、切手ＩＤが格納された無線タグ切手５２を貼付することを説明したが、配送物への識別情報の与え方はかかる例に限定されない。変形例として、無線タグ機能を有するシールの貼付、または光学的に認識される情報コードの付与により配送物に識別情報を与えることも可能である。
【０１４２】
また、第２の実施形態では、切手ＩＤと宛先情報に基づいて生成されたキーがコンテンツキーとして用いられる例を説明したが、正当な受取人であることを示す他のキーがコンテンツキーとして用いられてもよい。例えば、差出人と受取人の間で事前に合言葉を決めておき、当該合言葉をコンテンツキーとして用いてもよい。または、配送先通信装置３０−２が受取人であるユーザＢの顔認識を行い、当該顔認識の結果をコンテンツキーとして用いてもよい。いずれの変形例によっても、第２の実施形態と同様の効果が得られる。なお、これら変形例を適用する場合には、図８に示したＳ６２２〜Ｓ６３０の処理は省略可能である。
【０１４３】
また、第２の実施形態では、コンテンツサーバ４０−２が配送先通信装置３０−２にコンテンツキーへ送信する例を説明したが、コンテンツキーの提供は配送により行われてもよい。この場合、コンテンツキーの情報が例えばバーコードや二次元コードの形態で印刷された配送物を配送先通信装置３０−２が内蔵カメラで撮像し、バーコードや二次元コードを認識することにより、コンテンツキーを取得することが可能である。
【０１４４】
また、第２〜第４の実施形態では、配送先通信装置３０が利用者カード６０から利用者ＩＤを取得する例を説明したが、第２の実施形態はかかる例に限定されない。例えば、配送先通信装置３０は、事前に利用者ＩＤを記憶していてもよいし、配送先通信装置３０が保持する固有のＩＤを利用者ＩＤとして用いてもよい。この場合、利用者カードなしにコンテンツサーバ４０からデータを取得できるので、受取人であるユーザＢの操作がさらに簡素化される。
【０１４５】
また、第３の実施形態では、コンテンツサーバ４０−３が切手ＩＤを用いてコンテンツの一部分を暗号化する例を説明したが、コンテンツサーバ４０−３はコンテンツの全体を暗号化してもよい。また、コンテンツサーバ４０−３は、配送先通信装置３０−３と事前に共有している暗号キーを用いてコンテンツを暗号化してもよい。かかる構成によれば、配送先通信装置３０−３は、はがき５０がユーザＢに届く前に暗号化されたコンテンツの一部分を復号した状態で格納しておくことができる。このため、はがき５０の受け取り後には当該暗号化キーを用いてコンテンツの残りの部分のみを復号すればよいので、よりスムーズな再生や保存が可能となる。
【０１４６】
また、第４の実施形態では、コンテンツをメタデータとメディアデータに分離して暗号化する例を説明したが、第４の実施形態はかかる例に限定されない。例えば、コンテンツサーバ４０−４は、コンテンツを２分割して暗号化し、一方の暗号化コンテンツを配送により送り、他方の暗号化コンテンツをネットワーク通信路を介して送ってもよい。例えば、コンテンツが写真や動画である場合、コンテンツサーバ４０−４は、画像データをブロックごとに表現し、各ブロックの直流成分は配送により送られ、交流成分はネットワーク通信路を介して送られてもよい。なお、当該変形例は、第４の実施形態で説明したメタデータ暗号化キーを他のキーに置き変えることにより実現可能である。
【０１４７】
また、本明細書の配送元通信装置２０、配送先通信装置３０、およびコンテンツサーバ４０の処理における各ステップは、必ずしもシーケンス図として記載された順序に沿って時系列に処理する必要はない。例えば、配送元通信装置２０、配送先通信装置３０、およびコンテンツサーバ４０の処理における各ステップは、フローチャートとして記載した順序と異なる順序で処理されても、並列的に処理されてもよい。
【０１４８】
また、配送元通信装置２０、配送先通信装置３０、およびコンテンツサーバ４０に内蔵されるＣＰＵ、ＲＯＭおよびＲＡＭなどのハードウェアに、上述した配送元通信装置２０、配送先通信装置３０、およびコンテンツサーバ４０の各構成と同等の機能を発揮させるためのコンピュータプログラムも作成可能である。また、該コンピュータプログラムを記憶させた記憶媒体も提供される。
【符号の説明】
【０１４９】
１２  ネットワーク
２０  配送元通信装置
３０  配送先通信装置
４０  コンテンツサーバ
５２  無線タグ切手
６０  利用者カード
２２０  近接通信部
２３０  ネットワーク通信部
２４０  操作部
２５０  表示部
２６１、２６２、２６３、２６４  制御部
２７０  書込制御部
３２０  近接通信部
３３０  ネットワーク通信部
３４０  操作部
３５０  表示部
３５４  撮像部
３６１、３６２、３６３、３６４  制御部
３７０  再生部
３７２、３７４  復号部
３７４  復号部
４３０  ネットワーク通信部
４５０  記憶部
４６１、４６２、４６３、４６４  制御部
４７２  キー生成部
４７４  認証部
４７６、４８０  暗号化部
４７８  判断部
４８０  暗号化部
４８２  コンテンツ分離部
４８４  メタデータ暗号化部
４８６  メディアデータ暗号化部
【図１】
2015095748.tif 000003
【図２】
2015095748.tif 000004
【図３】
2015095748.tif 000005
【図４】
2015095748.tif 000006
【図５】
2015095748.tif 000007
【図６】
2015095748.tif 000008
【図７】
2015095748.tif 000009
【図８】
2015095748.tif 000010
【図９】
2015095748.tif 000011
【図１０】
2015095748.tif 000012
【図１１】
2015095748.tif 000013
【図１２】
2015095748.tif 000014
【図１３】
2015095748.tif 000015
【図１４】
2015095748.tif 000016